(57)【要約】【課題】測定対象についての被測定量の変化の状態を正確に把握可能とする。【解決手段】クランプセンサを有して測定対象についての被測定量を規定時間間隔で測定して測定値データＤ０を順次出力する測定部１１と、測定値データＤ０を記憶可能なメモリ１７と、測定結果を表示する表示部１３と、測定部１１からの測定値データＤ０をメモリ１７に順次記憶させると共に、記憶させた測定値データＤ０に基づいて被測定量の規定時間内における最大値を特定する最大値特定処理、および特定した最大値を測定結果として表示部１３に数値表示させる測定結果表示処理を実行する制御部１６と、スマートフォン２と通信可能な無線通信部１４および有線通信部１５とを備え、制御部１６は、送信開始条件が満たされたときに、メモリ１７に記憶されている測定値データＤ０を両通信部１４，１５のいずれかからスマートフォン２に送信させるデータ送信処理を実行する。【選択図】図１
2016031288.tif 000002
【特許請求の範囲】
【請求項１】
測定対象をクランプ可能なクランプセンサを有して当該測定対象についての被測定量を予め規定された時間間隔で測定して測定値データを順次出力する測定部と、
前記測定値データを記憶可能な記憶部と、
測定結果を表示する表示部と、
前記測定部から出力される前記測定値データを前記記憶部に順次記憶させると共に、当該記憶部に記憶させた当該測定値データに基づいて前記測定対象についての被測定量の予め規定された時間内における最大値を特定する最大値特定処理、および特定した当該最大値を前記測定結果として前記表示部に数値表示させる測定結果表示処理を実行する処理部とを備えた測定装置であって、
外部装置と通信可能な通信部を備え、
前記処理部は、予め規定された送信開始条件が満たされたときに、前記記憶部に記憶されている前記測定値データを前記通信部から前記外部装置に送信させるデータ送信処理を実行する測定装置。
【請求項２】
請求項１記載の測定装置、および前記外部装置としての携帯端末装置を備えた測定システムであって、
前記測定装置は、前記表示部としての第１表示部、前記通信部としての第１通信部、前記記憶部としての第１記憶部、および前記処理部としての第１処理部を備え、
前記携帯端末装置は、測定結果を表示可能な第２表示部、前記測定装置の前記第１通信部と通信可能な第２通信部、前記測定装置から送信される前記測定値データを記憶可能な第２記憶部、および前記第１通信部から送信されて前記第２通信部によって受信された前記測定値データを前記第２記憶部に順次記憶させると共に当該測定値データに基づいて前記測定対象についての被測定量の変化を示すグラフを前記第２表示部に表示させるグラフ表示処理を実行する第２処理部を備えている測定システム。
【発明の詳細な説明】
【技術分野】
【０００１】
本発明は、測定対象をクランプ可能なクランプセンサを有する測定部によって測定対象についての被測定量を測定して表示部に測定結果を表示可能に構成された測定装置、およびそのような測定装置と携帯端末装置とを備えて構成された測定システムに関するものである。
【背景技術】
【０００２】
この種の測定装置として、出願人は、測定対象をクランプ可能なクランプ部を備えて測定対象を流れる電流の電流値を測定対象に対して非接触で測定可能な電流測定装置（クランプ式の測定装置）を下記の特許文献に開示している。この電流測定装置を用いた電流の測定に際しては、クランプ部によって測定対象の導線をクランプすると共に、操作部を操作して測定開始を指示する。この際には、制御部が測定部を制御して測定処理を実行させ、測定部がクランプ部における一対のセンサから出力される検出信号に基づいて導線を流れる電流の電流値を測定する。また、制御部は、測定部によって測定された電流値を測定結果として表示部に数値で表示させる。これにより、測定対象の導線を流れる電流についての測定処理が完了する。
【先行技術文献】
【特許文献】
【０００３】
【特許文献１】特開２０１１−１０６９７６号公報（第５−１０頁、第１−５図）
【発明の概要】
【発明が解決しようとする課題】
【０００４】
ところが、出願人が開示している電流測定装置には、以下のような改善すべき課題が存在する。すなわち、出願人が開示している電流測定装置では、クランプ部によってクランプした状態の測定対象（導線）を流れる電流の電流値が測定されて測定結果（電流値）が表示部に数値で表示される構成が採用されている。
【０００５】
この場合、この種の測定装置の使用態様の１つとして、測定対象を流れる突入電流の測定がある。一方、出願人が開示している電流測定装置は、測定部によって繰り返し測定される電流値に応じて表示部に表示させる測定結果（電流値）を逐次表示替えさせる通常の測定モードだけでなく、予め規定された時間内に測定された最大の電流値を表示部に表示させた状態を維持するピークホールドモードによる測定処理を実行することが可能となっている。これにより、出願人が開示している電流測定装置では、例えば、電動機に電源を投入した際に電源ケーブルを流れた突入電流の最大値を測定して表示部に数値で表示させることが可能となっている。
【０００６】
しかしながら、測定対象を流れた突入電流の測定時に、表示部に数値で表示された最大値を見ただけでは、そのような値の電流がどの程度の時間に亘って流れたのかや、最大値と同程度の大きな電流が複数回に亘って流れたのか、或いは最大値の電流が１回だけ流れたのかなどを把握することができない。したがって、出願人が開示している電流測定装置では、突入電流がどのような状態で流れたのかを正確に把握するのが困難となっている。なお、出願人が開示した電流測定装置と同様にして測定結果としての電圧値等の測定値を数値で表示させる構成の測定装置にも同様の課題が存在する。このため、この点を改善するのが好ましい。
【０００７】
本発明は、かかる改善すべき課題に鑑みてなされたものであり、測定対象についての被測定量の変化の状態を正確に把握し得る測定装置および測定システムを提供することを主目的とする。
【課題を解決するための手段】
【０００８】
上記目的を達成すべく請求項１記載の測定装置は、測定対象をクランプ可能なクランプセンサを有して当該測定対象についての被測定量を予め規定された時間間隔で測定して測定値データを順次出力する測定部と、前記測定値データを記憶可能な記憶部と、測定結果を表示する表示部と、前記測定部から出力される前記測定値データを前記記憶部に順次記憶させると共に、当該記憶部に記憶させた当該測定値データに基づいて前記測定対象についての被測定量の予め規定された時間内における最大値を特定する最大値特定処理、および特定した当該最大値を前記測定結果として前記表示部に数値表示させる測定結果表示処理を実行する処理部とを備えた測定装置であって、外部装置と通信可能な通信部を備え、  前記処理部は、予め規定された送信開始条件が満たされたときに、前記記憶部に記憶されている前記測定値データを前記通信部から前記外部装置に送信させるデータ送信処理を実行する。
【０００９】
また、請求項２記載の測定システムは、請求項１記載の測定装置、および前記外部装置としての携帯端末装置を備えた測定システムであって、前記測定装置は、前記表示部としての第１表示部、前記通信部としての第１通信部、前記記憶部としての第１記憶部、および前記処理部としての第１処理部を備え、前記携帯端末装置は、測定結果を表示可能な第２表示部、前記測定装置の前記第１通信部と通信可能な第２通信部、前記測定装置から送信される前記測定値データを記憶可能な第２記憶部、および前記第１通信部から送信されて前記第２通信部によって受信された前記測定値データを前記第２記憶部に順次記憶させると共に当該測定値データに基づいて前記測定対象についての被測定量の変化を示すグラフを前記第２表示部に表示させるグラフ表示処理を実行する第２処理部を備えている。
【発明の効果】
【００１０】
請求項１記載の測定装置では、処理部が、クランプセンサを有する測定部によって測定された測定対象についての被測定量の測定値データを記憶部に順次記憶させると共に、被測定量の予め規定された時間内における最大値を測定値データに基づいて特定する最大値特定処理、および特定した最大値を測定結果として表示部に数値表示させる測定結果表示処理を実行すると共に、予め規定された送信開始条件が満たされたときに、記憶部に記憶されている測定値データを通信部から外部装置に送信させるデータ送信処理を実行する。
【００１１】
また、請求項２記載の測定システムでは、測定装置および携帯端末装置を備え、携帯端末装置の第２処理部が、測定装置から送信されて第２通信部によって受信された測定値データを第２記憶部に順次記憶させると共に測定値データに基づいて測定対象についての被測定量の変化を示すグラフを第２表示部に表示させるグラフ表示処理を実行する。
【００１２】
したがって、請求項１記載の測定装置、および請求項２記載の測定システムによれば、測定装置から送信された測定値データに基づいて携帯端末装置の第２表示部に表示されるグラフを見ることで、測定装置の測定部によって測定された被測定量の値がどのように変化したかを正確に把握することができる。また、グラフを表示可能な大きなサイズの表示部を測定装置に搭載する必要がないため、測定装置が大型化する事態を好適に回避することができる。
【図面の簡単な説明】
【００１３】
【図１】測定システム１００の構成を示すブロック図である。
【図２】測定システム１００における測定装置１およびスマートフォン２の外観図である。
【発明を実施するための形態】
【００１４】
以下、測定装置および測定システムの実施の形態について、添付図面を参照して説明する。
【００１５】
図１，２に示す測定システム１００は、「測定システム」の一例であって、測定装置１およびスマートフォン２を備えて構成されている。この場合、「スマートフォン」は、広義には、ＰＤＡ（携帯情報端末）の機能が備わった携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。また、上記のスマートフォン２は、「携帯端末装置」の一例であって、後述するように、この測定システム１００専用の測定システム用プログラムＤｐがインストールされた既存の「スマートフォン」で構成されている。
【００１６】
測定装置１は、「測定装置」の一例であるクランプ式電流測定装置であって、図１に示すように、測定部１１、操作部１２、表示部１３、無線通信部１４、有線通信部１５、制御部１６およびメモリ１７を備えて構成されている。測定部１１は、「測定部」の一例であって、図２に示すように、「測定対象をクランプ可能なクランプセンサ」の一例であるクランプセンサ部１１ａを備えている。この測定部１１は、制御部１６の制御に従い、クランプセンサ部１１ａによってクランプした図示しない測定対象を流れる電流の電流値（「被測定量」の一例）を予め設定されたサンプリング周期でサンプリングして（「被測定量を予め規定された時間間隔で測定して」との構成の一例）測定値データＤ０（「測定値データ」の一例）を制御部１６に順次出力する。
【００１７】
操作部１２は、測定モードの切替えを行う切替えスイッチや、表示部１３に表示されている測定結果をホールド／ホールド解除（測定値の表示替えの規制、および規制の解除）を行うためのＨＯＬＤスイッチなどの各種の操作スイッチを備え、スイッチ操作に応じた操作信号を制御部１６に出力する。表示部１３は、「表示部」としての「第１表示部」の一例であって、制御部１６の制御に従い、図２に示すように、測定対象を流れる電流の実効値を示す実効値表示３１ａや、予め規定された時間内の最大値（最大の電流値：最大波高値であって、±の絶対値で大きい方の値）を示す最大値表示３１ｂなどの測定結果表示３１を表示する。
【００１８】
この場合、上記の測定装置１のように「クランプセンサ（クランプセンサ部１１ａ）」を有する「測定装置」では、装置を手に持って「クランプセンサ」で測定対象をクランプする必要があるため、十分に小型化されている必要がある。このため、上記の測定装置１においても、多くの情報を表示可能な大型の「表示部」を搭載することができず、装置の大型化を招くことのない小型の表示部１３が搭載されている。したがって、本例の測定装置１（測定システム１００）では、後述するように、測定装置１の表示部１３には測定結果を数値で表示させるだけで、広い表示領域を必要とする「波形（グラフ）」については、スマートフォン２に表示させる構成が採用されている。
【００１９】
無線通信部１４は、一例として、ブルートゥース（Bluetooth ：登録商標）規格に準じた近距離無線通信を実行可能に構成されて、後述するようにスマートフォン２との間でペアリングされた状態において各種の信号やデータを送受信する。また、有線通信部１５は、一例として、ＵＳＢ規格に準じた接続コネクタ（図示せず）を備え、この接続コネクタに接続される信号ケーブルＣ（図１参照）を介してスマートフォン２と接続可能に構成されて信号ケーブルＣを介して各種の信号やデータを送受信する。この場合、本例の測定装置１（測定システム１００）では、無線通信部１４および有線通信部１５が「通信部」としての「第１通信部」に相当し、制御部１６の制御に従い、スマートフォン２から送信された送信要求信号Ｓの受信処理、およびスマートフォン２に対する測定値データＤ０や測定結果データＤ１の送信処理などを実行する。
【００２０】
制御部１６は、「処理部」としての「第１処理部」に相当し、測定装置１を総括的に制御する。具体的には、制御部１６は、選択された測定モードに応じて測定部１１を制御することにより、クランプセンサ部１１ａによってクランプされている測定対象を流れる電流の電流値を測定させると共に、測定部１１から出力される測定値データＤ０をメモリ１７に順次記憶させる。また、制御部１６は、メモリ１７に記憶させた測定値データＤ０に基づき、選択されている測定モードに応じた測定結果を特定して測定結果データＤ１を生成し、生成した測定結果データＤ１のメモリ１７への記憶、および測定結果データＤ１に基づく表示部１３への測定結果の表示を実行する。
【００２１】
さらに、制御部１６は、一例として、後述するように、スマートフォン２から送信要求信号Ｓが送信され、かつスマートフォン２に送信すべき測定値データＤ０が存在するとき（「予め規定された送信開始条件が満たされたとき」の一例）に、メモリ１７に記憶されている測定値データＤ０や測定結果データＤ１を無線通信部１４または有線通信部１５からスマートフォン２に送信させる。なお、本例では、無線通信部１４や有線通信部１５からスマートフォン２に測定値データＤ０を送信する処理が「データ送信処理」に相当する。メモリ１７は、「記憶部」としての「第１記憶部」に相当し、制御部１６の演算結果や上記の測定値データＤ０および測定結果データＤ１などを一時的に記憶する。
【００２２】
この場合、本例の測定装置１（測定システム１００）では、後述するように、測定対象を流れている直流電流の電流値を測定する通常の直流電流測定モード、および測定対象を流れている交流電流の電流値を測定する通常の交流電流測定モードにおける測定処理に加えて、直流電流の突入電流を測定する直流突入電流測定モード、および交流の突入電流を測定する交流突入電流測定モード（以下、これらの測定モードについて区別しないときには「突入電流測定モード」ともいう）における測定処理を実行可能に構成されている。
【００２３】
また、本例の測定装置１（測定システム１００）では、後述するように、突入電流測定モードが選択されているときに、制御部１６が、測定部１１から出力される測定値データＤ０に基づき、予め規定された時間内に測定された最大の電流値（最大値）を特定する「最大値特定処理」、および実効値を特定する「実効値特定処理」を実行して測定結果データＤ１を生成する。さらに、制御部１６は、生成した測定結果データＤ１をメモリ１７に記憶させると共に、図２に示すように、測定結果データＤ１に基づき、実効値表示３１ａおよび最大値表示３１ｂ等の測定結果表示３１を表示部１３に表示させる。なお、この測定装置１（測定システム１００）では、表示部１３に最大値表示３１ｂを表示させる処理が「特定した最大値を測定結果として表示部に数値表示させる測定結果表示処理」に相当する。
【００２４】
一方、スマートフォン２は、「外部装置」としての「携帯通信端末」の一例であって、上記したように、測定システム用プログラムＤｐがインストールされた既存の「スマートフォン」で構成されている。具体的には、図１に示すように、スマートフォン２は、本体メモリ２１、操作部２２、表示部２３、無線通信部２４、有線通信部２５、制御部２６およびストレージメモリ装着部２７を備えて構成されている。なお、スマートフォン２における「携帯電話としての機能」や「ＰＤＡとしての機能」を実現するための構成要素については公知のため、図示および説明を省略する。
【００２５】
本体メモリ２１は、スマートフォン２の動作プログラムを記憶すると共に、測定システム用プログラムＤｐ等の各種プログラム（利用者がインストールしたプログラム）や、後述するように測定装置１から送信される測定値データＤ０および測定結果データＤ１などの各種のデータを記憶する。なお、測定システム用プログラムＤｐ等のプログラムの一部や測定値データＤ０および測定結果データＤ１などについては、ストレージメモリ装着部２７に装着されたストレージメモリＭにインストールすることもできる。この場合、本例のスマートフォン２（測定システム１００）では、本体メモリ２１、およびストレージメモリ装着部２７に装着されたストレージメモリＭが「第２記憶部」に相当する。
【００２６】
操作部２２は、図示しない電源スイッチなどの他に、表示部２３の表面側に配設されたタッチパネルを備えて構成されて、これらの操作に応じた操作信号を制御部２６に出力する。表示部２３は、「第２表示部」の一例であって、制御部２６の制御に従って各種の表示画面を表示する。この場合、本例のスマートフォン２（測定システム１００）では、後述するように測定システム用プログラムＤｐが起動されたときに、図２に示すように、測定処理用画面４０が表示部２３に表示される。
【００２７】
この測定処理用画面４０には、一例として、測定装置１から送信された測定値データＤ０および測定結果データＤ１に基づく測定結果表示４１や、測定結果表示４１のホールドおよびホールドの解除（表示替えの規制、および規制の解除）を行うためのＨＯＬＤスイッチ、および最新の測定値データＤ０や測定結果データＤ１を本体メモリ２１の保存領域に保存するデータ保存処理の実行を指示するＳＡＶＥスイッチなどの各種の操作スイッチ（タッチパネルを介して操作可能な疑似スイッチ）が表示される。また、測定結果表示４１は、測定結果データＤ１に基づいて特定される実効値を示す実効値表示４１ａ、測定結果データＤ１に基づいて特定される最大値を示す最大値表示４１ｂ、および測定値データＤ０に基づいて描画される波形表示４１ｃ（「被測定量の変化を示すグラフ」の一例）で構成されている。
【００２８】
無線通信部２４は、測定装置１の無線通信部１４と同様にして、ブルートゥース規格に準じた近距離無線通信を実行可能に構成されて、後述するように測定装置１との間でペアリングされた状態において各種の信号やデータを送受信する。また、有線通信部２５は、測定装置１の有線通信部１５と同様にして、ＵＳＢ規格に準じた接続コネクタを備え、この接続コネクタに接続される信号ケーブルＣを介して測定装置１と接続可能に構成されて信号ケーブルＣを介して各種の信号やデータを送受信する。この場合、本例のスマートフォン２（測定システム１００）では、無線通信部２４および有線通信部２５が「第２通信部」に相当し、制御部２６の制御に従い、測定装置１に対する送信要求信号Ｓの送信処理、および測定装置１から送信された測定値データＤ０や測定結果データＤ１の受信処理などを実行する。
【００２９】
制御部２６は、「第２処理部」の一例であって、スマートフォン２を総括的に制御する。具体的には、制御部２６は、測定システム用プログラムＤｐに従い、測定処理用画面４０を表示部２３に表示させると共に、無線通信部２４または有線通信部２５を介して測定装置１に送信要求信号Ｓを送信する処理を実行する。また、制御部２６は、無線通信部２４または有線通信部２５によって測定値データＤ０や測定結果データＤ１が受信されたときに、受信された測定値データＤ０や測定結果データＤ１を本体メモリ２１に順次記憶させる。さらに、制御部２６は、測定結果データＤ１に基づいて測定処理用画面４０に実効値表示４１ａや最大値表示４１ｂを表示させると共に、測定値データＤ０に基づいて測定処理用画面４０に波形表示４１ｃを表示させる。なお、本例のスマートフォン２（測定システム１００）では、制御部２６が測定値データＤ０に基づいて表示部２３（測定処理用画面４０）に波形表示４１ｃを表示させる処理が「グラフ表示処理」に相当する。
【００３０】
なお、このスマートフォン２にインストールされている測定システム用プログラムＤｐは、制御部２６に対して、測定装置１（無線通信部１４または有線通信部１５）から送信されて無線通信部２４または有線通信部２５によって受信された測定値データＤ０や測定結果データＤ１を本体メモリ２１（または，ストレージメモリＭ）に順次記憶させると共に、測定結果データＤ１に基づいて実効値表示４１ａや最大値表示４１ｂを表示部２３（測定処理用画面４０）に表示させ、かつ測定値データＤ０に基づいて測定対象を流れる電流の変化を示す波形表示４１ｃ表示部２３（測定処理用画面４０）に表示させる処理を実行させる手順が記録されている。
【００３１】
この測定システム１００の使用に際しては、まず、スマートフォン２に測定システム用プログラムＤｐをインストールする。この測定システム用プログラムＤｐについては、一例として、測定装置１の附属品としてインストール用光ディスクを提供したり、インターネット内の任意のサイトからダウンロードして使用するようにしたりすることができる。なお、測定システム用プログラムＤｐのインストール作業に関しては、「スマートフォン」に対する各種プログラムのインストール作業と同様のため、詳細な説明を省略する。次いで、測定装置１とスマートフォン２との間においてブルートゥースのペアリングを行う。なお、ペアリング作業に関しては、公知の各種ブルートゥース機器のペアリング作業と同様のため、詳細な説明を省略する。これにより、測定システム１００を使用する準備が整う。
【００３２】
次いで、例えば、測定対象としての電源ケーブルを流れる交流の突入電流を測定する際には、まず、測定装置１の操作部１２を制御して測定処理の条件を設定する。この際には、交流突入電流測定モードでの測定処理を実行するように設定する。なお、実際には、選択した測定モード毎に測定レンジを手動で選択したり測定レンジを自動選択させる設定操作を行ったりするが、測定装置１（測定システム１００）の動作原理についての理解を容易とするために、測定レンジの選択に関連する説明を省略する。続いて、スマートフォン２の操作部２２を操作して、一例として、無線通信部２４をオン状態にする（通信可能な状態とする）。この際には、前述したペアリング作業によってペアリングされた測定装置１の無線通信部１４とスマートフォン２の無線通信部２４とが相互に通信可能な状態となる。
【００３３】
次いで、操作部２２を操作して測定システム用プログラムＤｐを起動させる。この際に、制御部２６は、測定システム用プログラムＤｐに従い、表示部２３に測定処理用画面４０を表示させる。なお、測定装置１による測定処理が開始されていないこの時点（後述するように、測定装置１から測定値データＤ０や測定結果データＤ１が送信されていない時点）では、スマートフォン２の測定処理用画面４０には、「０．０Ａ」との実効値表示４１ａ、「０Ａ」との最大値表示４１ｂ、および波形を示す線分が存在しない波形表示４１ｃが表示される（図示せず）。また、制御部２６は、一例として、測定システム用プログラムＤｐに従って測定処理用画面４０を表示させたときに、無線通信部２４を制御して、測定装置１に対して測定値データＤ０や測定結果データＤ１の送信を要求する送信要求信号Ｓ（測定値データＤ０や測定結果データＤ１の受信準備が整った旨を報知する信号）を送信させる。
【００３４】
続いて、測定装置１における操作部１２のスイッチ操作（処理開始操作）によって測定処理の開始を指示すると共に、電流を供給していない状態の電源ケーブルをクランプセンサ部１１ａによってクランプする。この際に、制御部１６は、測定部１１を制御して電流値の測定処理を開始させると共に、測定部１１から出力される測定値データＤ０の値（絶対値）が予め規定されたしきい値（一例として、±５Ａ）を超えたか否かの監視を開始する。一方、測定部１１は、設定されたサンプリング周期で電流値の測定処理を実行し、その都度、「０Ａ」との値の測定値データＤ０を出力する。また、制御部１６は、測定部１１から出力された測定値データＤ０をメモリ１７に順次記憶させると共に、測定値データＤ０の値がしきい値を超えていない（測定対象に対する交流電流の供給が開始されていない）と判別し、「０．０Ａ」との実効値表示３１ａ、および「０Ａ」との最大値表示３１ｂを表示させる（図示せず）。
【００３５】
次いで、測定装置１のクランプセンサ部１１ａによってクランプしている電源ケーブルに対する交流電流の供給を開始する。この際には、測定部１１によって電源ケーブルを流れる交流電流の電流値が逐次測定されて測定値データＤ０が出力され、制御部１６が、測定部１１から測定値データＤ０が出力される都度、その測定値データＤ０をメモリ１７に記憶させる。また、制御部１６は、測定値データＤ０の値がしきい値を超えた時点（すなわち、電源ケーブルに対する交流電流の供給が開始された時点）から１００ｍ秒が経過したときに（「予め規定された時間」が「１００ｍ秒」の例）、測定部１１を制御して電流値の測定処理を終了させると共に、測定処理を終了させた時点以前の１００ｍ秒の間に測定部１１から出力された測定値データＤ０に基づいて「実効値」および「最大値」を特定する処理を実行する。これにより、電源ケーブルを流れた１００ｍ秒内の最大値および実効値が制御部１６によってそれぞれ特定されて測定結果データＤ１が生成される。なお、「予め規定された時間」については、「１００ｍ秒」以外の任意の時間に規定することができる。
【００３６】
次いで、制御部１６は、生成した測定結果データＤ１をメモリ１７に記憶させると共に、図２に示すように、測定結果データＤ１に基づき、実効値（一例として、「９５．８Ａ」）を示す文字列で実効値表示３１ａを表示替えさせると共に、最大値（一例として、「−２６３Ａ」）を示す文字列で最大値表示３１ｂを表示替えさせる（「特定した最大値を測定結果として表示部に数値表示させる」との処理の一例）。これにより、測定装置１の表示部１３に表示された実効値表示３１ａおよび最大値表示３１ｂ等を見た利用者は、クランプセンサ部１１ａによってクランプしている電源ケーブルを流れた交流の突入電流の実効値が「９５．８Ａ」であり、最大値が「−２６３Ａ」であると認識する。
【００３７】
また、この時点においては、スマートフォン２から送信された送信要求信号Ｓが無線通信部２４によって受信され、かつスマートフォン２に送信すべき測定値データＤ０が存在している（メモリ１７に記憶されている）ため、制御部１６は、一例として、測定処理を終了させた時点以前の１２０ｍ秒の間（測定処理を終了させた時点以前の１００ｍ秒の間、および測定値データＤ０の値がしきい値を超えた時点よりも前の２０ｍ秒の間の合計１２０ｍ秒）に測定部１１から出力された測定値データＤ０と、測定結果データＤ１とをメモリ１７から読み出して無線通信部１４からスマートフォン２に送信させる。
【００３８】
これに応じて、スマートフォン２では、制御部２６が、無線通信部２４によって受信された測定値データＤ０や測定結果データＤ１を本体メモリ２１に記憶させると共に、図２に示すように、測定結果データＤ１に基づき、「９５．８Ａ」との値に実効値表示４１ａを表示替えさせ、かつ、「−２６３Ａ」との値に最大値表示４１ｂを表示替えさせる。また、制御部２６は、測定値データＤ０に基づき、測定部１１によって測定された電流値の変化を示す波形を波形表示４１ｃとして測定処理用画面４０に表示させる。これにより、スマートフォン２の表示部２３（測定処理用画面４０）に表示された測定結果表示４１を見た利用者は、測定装置１のクランプセンサ部１１ａによってクランプしている電源ケーブルを流れた交流の突入電流の実効値が「９５．８Ａ」であり、最大値が「−２６３Ａ」であると認識すると共に、そのような実効値および最大値が測定された際に、電源ケーブルを流れた電流の電流値がどのように変化したのかを波形表示４１ｃに基づいて正確に把握する。以上により、交流の突入電流に関する測定処理が完了する。
【００３９】
また、測定装置１による測定処理に連動させて（測定装置１による測定処理が完了した直後に）、その測定処理の測定結果を示す測定結果表示４１をスマートフォン２の表示部２３（測定処理用画面４０）に表示させる使用形態について説明したが、この測定システム１００では、測定装置１による一連の測定処理が完了した後（測定値データＤ０や測定結果データＤ１がメモリ１７に記憶されている状態）である限り、利用者が任意のタイミングでスマートフォン２の表示部２３（測定処理用画面４０）に測定結果表示４１を表示させることが可能となっている。具体的には、測定装置１による突入電流の測定処理が完了している状態において、例えば、測定装置１の無線通信部１４とスマートフォン２の無線通信部２４との間における無線通信が可能な状態にすると共に、スマートフォン２において測定システム用プログラムＤｐを起動させる。この際には、スマートフォン２の表示部２３に、「０．０Ａ」との実効値表示４１ａ、「０Ａ」との最大値表示４１ｂ、および波形を示す線分が存在しない状態の波形表示４１ｃからなる測定結果表示４１が測定処理用画面４０が表示される。
【００４０】
次いで、スマートフォン２を操作して、図示しないサブメニューを表示部２３に表示させ、測定装置１に対して測定値データＤ０および測定結果データＤ１の送信を要求する処理の実行を選択する。この際に、制御部２６は、選択操作に応じて無線通信部２４から測定装置１に送信要求信号Ｓを送信させる。また、測定装置１では、スマートフォン２から送信された送信要求信号Ｓが無線通信部１４によって受信されたときに、制御部１６が、「送信開始条件」が満たされたと判別し、メモリ１７に記憶されている測定値データＤ０および測定結果データＤ１を無線通信部１４からスマートフォン２に送信させる。
【００４１】
これに応じて、スマートフォン２では、制御部２６が、測定装置１から送信されて無線通信部２４によって受信された測定値データＤ０および測定結果データＤ１を本体メモリ２１に記憶させると共に、測定結果データＤ１に基づき、例えば、「９５．８Ａ」との値に実効値表示４１ａを表示替えさせると共に、「−２６３Ａ」との値に最大値表示４１ｂを表示替えさせ、測定値データＤ０に基づき、測定部１１によって測定された電流値の変化を示す波形を波形表示４１ｃとして測定処理用画面４０に表示させる。これにより、スマートフォン２の表示部２３（測定処理用画面４０）に表示された測定結果表示４１を見た利用者は、測定対象の電源ケーブルを流れた交流の突入電流の実効値が「９５．８Ａ」であり、最大値が「−２６３Ａ」であると認識すると共に、そのような実効値および最大値が測定された際に、電源ケーブルを流れた電流の電流値がどのように変化したのかを波形表示４１ｃに基づいて正確かつ容易に把握することができる。
【００４２】
なお、送信要求信号Ｓや測定値データＤ０および測定結果データＤ１などの各種の信号やデータを無線通信部１４，２４間での無線通信によって送受信させる使用方法を例に挙げて説明したが、この測定システム１００では、有線通信部１５，２５の間を信号ケーブルＣで接続した状態において、信号ケーブルＣを介して測定装置１およびスマートフォン２の間で各種の信号やデータを送受信させることもできる。このように、信号ケーブルＣを介して送受信させたときにも、測定装置１およびスマートフォン２によって上記の各処理と同様の処理が実行される。
【００４３】
このように、この測定装置１では、制御部１６が、クランプセンサを有する測定部１１によって測定された測定対象についての被測定量（本例では、測定対象を流れる電流の電流値）の測定値データＤ０をメモリ１７に順次記憶させると共に、予め規定された時間内における最大値を測定値データＤ０に基づいて特定する「最大値特定処理」、および特定した最大値を示す最大値表示３１ｂを表示部１３に数値表示させる「測定結果表示処理」を実行すると共に、予め規定された送信開始条件が満たされたとき（本例では、スマートフォン２から送信要求信号Ｓが送信されたとき）に、メモリ１７に記憶されている測定値データＤ０を無線通信部１４または有線通信部１５からスマートフォン２に送信させる「データ送信処理」を実行する。
【００４４】
また、この測定システム１００では、測定装置１およびスマートフォン２を備え、スマートフォン２の制御部２６が、測定装置１から送信されて無線通信部２４または有線通信部２５によって受信された測定値データＤ０を本体メモリ２１（または、ストレージメモリＭ）に順次記憶させると共に測定値データＤ０に基づいて測定対象についての被測定量の変化を示す波形表示４１ｃ（グラフ）を表示部２３に表示させる「グラフ表示処理」を実行する。
【００４５】
したがって、この測定装置１および測定システム１００によれば、測定装置１から送信された測定値データＤ０に基づいてスマートフォン２の表示部２３（測定処理用画面４０）に表示される波形表示４１ｃを見ることで、測定装置１の測定部１１によって測定された電流の電流値がどのように変化したかを正確に把握することができる。また、「波形（グラフ）」を表示可能な大きなサイズの「表示部」を測定装置１に搭載する必要がないため、測定装置１が大型化する事態を好適に回避することができる。
【００４６】
なお、「測定装置」および「測定システム」の構成は、上記の測定装置１および測定システム１００の例に限定されない。例えば、測定対象を流れる電流の最大値と共に実効値を特定して表示部１３に実効値表示３１ａを表示させた例について説明したが、実効値の特定および表示を行わない構成を採用することもできる。また、スマートフォン２の表示部２３（測定処理用画面４０）に実効値表示４１ａおよび最大値表示４１ｂの双方または一方を表示させずに波形表示４１ｃを表示させる構成を採用することもできる。さらに、「被測定量」として電流値を測定する構成を例に挙げて説明したが、電圧値、抵抗値および電力値などの各種の電気的パラメータを「被測定量」として測定する構成を採用することもできる。
【００４７】
また、「送信開始条件」は、「スマートフォン２から送信要求信号Ｓが送信され、かつスマートフォン２に送信すべき測定値データＤ０が存在するとき」との上記の例示に限定されず、例えば、「測定処理を開始してから予め規定された時間が経過したとき」、「予め規定された数の（予め規定された時間分の）測定値データＤ０が測定部１１から出力されたとき」、および「測定処理が完了したとき」などの各種の条件を規定することができる。さらに、「被測定量の変化を示すグラフ」については、「折れ線グラフ」、「棒グラフ」および「円グラフ」などの各種の「グラフ」を「携帯端末装置」に表示させることができる。
【００４８】
また、送信要求信号Ｓや測定値データＤ０および測定結果データＤ１などの各種の信号やデータを、ブルートゥース規格に準じた近距離無線通信によって送受信する構成を例に挙げて説明したが、このような構成に代えて（または、この構成に加えて）、無線ＬＡＮに接続可能な無線通信部、ＺｉｇＢｅｅ（登録商標）規格に準じた近距離無線通信が可能な無線通信部、およびＩｒＤＡ規格に準じた赤外線通信を実行可能な無線通信部を備えて各種の信号やデータを送受信する構成を採用することもできる。
【００４９】
さらに、ＵＳＢ規格に準じた接続コネクタを有する有線通信部１５，２５の間で各種の信号やデータを送受信する構成を例に挙げて説明したが、このような構成に代えて（または、この構成に加えて）、ＩＥＥＥ４８８規格や、ＩＥＥＥ１３９４規格などに準じた各種の有線通信規格で各種の信号やデータを送受信する構成を採用することもできる。さらに、測定装置１およびスマートフォン２間の通信手段としては、近距離無線通信や有線通信等に限定されず、公衆回線網やインターネット通信網等を利用した遠距離通信を利用することもできる。
【００５０】
加えて、「携帯端末装置」は、「スマートフォン」に限定されず、「タブレット端末」や「ノート型パーソナルコンピュータ」に「測定システム用プログラム」をインストールして「携帯端末装置」として使用することもできる。
【符号の説明】
【００５１】
１００  測定システム
１  測定装置
２  スマートフォン
１１  測定部
１１ａ  クランプセンサ部
１２，２２  操作部
１３，２３  表示部
１４，２４  無線通信部
１５，２５  有線通信部
１６，２６  制御部
１７  メモリ
２１  本体メモリ
２７  ストレージメモリ装着部
３１，４１  測定結果表示
３１ａ，４１ａ  実効値表示
３１ｂ，４１ｂ  最大値表示
４０  測定処理用画面
４１ｃ  波形表示
Ｃ  信号ケーブル
Ｄ０  測定値データ
Ｄ１  測定結果データ
Ｄｐ  測定システム用プログラム
Ｍ  ストレージメモリ
Ｓ  送信要求信号
【図１】
2016031288.tif 000003
【図２】
2016031288.tif 000004